(57)【要約】【課題】物を安定して把持できるロボットハンドを提供すること。【解決手段】本発明に係るロボットハンドは、掌リンク２０と、掌リンクに連結される複数の指リンク１０とを有する。指リンク１０及び掌リンク２０における物を把持する面の少なくとも一部に、柔軟性を有する材料から把持面が形成され、当該把持面のうち、掌リンクの把持面の摩擦係数を１．７以下とし、かつ掌リンクの把持面の摩擦係数が指リンクの把持面の摩擦係数以下とする。その摩擦係数を調整するために、把持面の表面に微小な凹凸を設けている。指リンク１０は、掌リンク２０に連結される根本側リンク１１と、根本側リンク１１に連結される指先側リンク１２とを有する。【選択図】図１
2009166181.tif 000002
【特許請求の範囲】
【請求項１】
掌リンクと、
前記掌リンクに連結される複数の指リンクとを有し、
前記掌リンク及び前記指リンクにおける物を把持する面の少なくとも一部に、柔軟性を有する材料から把持面が形成され、当該把持面のうち、前記掌リンクの把持面の摩擦係数が１．７以下であって、前記指リンクの把持面の摩擦係数が前記掌リンクの把持面の摩擦係数以上であり、かつ表面粗さを適切なものとすることで摩擦係数を調整したロボットハンド。
【請求項２】
前記指リンクのうち前記掌側の根本及び掌の前記把持面には凹凸が設けられている
ことを特徴とする請求項１記載のロボットハンド。
【請求項３】
前記指リンクの把持面より前記掌の把持面の摩擦係数が小さくなるよう、前記指リンク及び掌の前記把持面全面に凹凸が設けられている
ことを特徴とする請求項２記載のロボットハンド。
【請求項４】
前記指リンクは、前記掌リンクに連結される根本側リンクと、前記根本側リンクに連結される指先側リンクとを有する
ことを特徴とする請求項１乃至３のいずれか１項記載のロボットハンド。
【請求項５】
前記把持面の硬度は、９０デュロメータ（Ａ）以下である
ことを特徴とする請求項１乃至４のいずれか１項記載のロボットハンド。
【請求項６】
前記把持面のうち、前記掌リンクの把持面の表面粗さについて、凹凸平均間隔ＲＳｍが２０μｍ乃至１ｍｍにあって、凹凸平均高さＲｃが２μｍ以上であり、前記指リンクの把持面の表面粗さは前記掌リンクの把持面の表面粗さより小さい
ことを特徴とする請求項１乃至５のいずれか１項記載のロボットハンド。
【請求項７】
前記柔軟性を有する把持面は、ゴム又は樹脂材料からなる
ことを特徴とする請求項１乃至６のいずれか１項記載のロボットハンド。
【請求項８】
前記柔軟性を有する把持面は、シリコンゴムである
ことを特徴とする請求項１乃至７のいずれか１項記載のロボットハンド。
【請求項９】
前記指リンク及び前記掌リンクの物体を把持する側の面に、前記柔軟性を有する材料からなるシートが貼られている
ことを特徴とする請求項１乃至８のいずれか１項記載のロボットハンド。
【請求項１０】
前記指リンク及び前記掌リンクが、前記柔軟性を有する材料により覆われている
ことを特徴とする請求項１乃至８のいずれか１項記載のロボットハンド。
【発明の詳細な説明】
【技術分野】
【０００１】
本発明は、物を把持するためのロボットハンドに関する。
【背景技術】
【０００２】
従来、物を把持するロボットハンドが例えば特許文献１乃至３に記載されている。特許文献１に記載のロボットハンドにおいては、先端指部、第１の指部、及び第２の指部がそれぞれ屈曲可能に連結されている。先端指部の内側には比較的摩擦係数の大きな表面材料が取り付けられていて、根本側の指部である第１及び第２の指部の内側には摩擦係数の小さな表面材料が取り付けられている。把持対象物は、摩擦係数の大きい先端指部で引っ掛けて巻き込まれる。そして、先端指部より摩擦係数の小さい第１及び第２の指部において、把持対象物が滑りながら移動する。これにより、把持対象物の移動、及び位置決め等を行っている。
【０００３】
また、特許文献２に記載のロボットハンドは、指リンクのうち、先端部の把持面は摩擦係数が大きい領域であり、根本部把持面は摩擦係数が小さい領域となっている。さらに、指リンクに連結されている掌リンクの把持面は摩擦係数が小さい領域となっている。そして、摩擦係数の大きい先端部把持面で安定して物を把持する。さらに、指の根元部に対する先端部の角度を変化させた場合、摩擦係数の小さい領域で物がすべり、当該物がなめらかに移動する。
【０００４】
さらに、特許文献３には、指部の表面に凹部が形成された凹凸形状（ディンプル形状）が形成されたロボットハンドが開示されている。凹部を形成することにより、指部の摩擦係数を向上させ、対象物を安定して把持している。
【特許文献１】特開２００２−２６４０６６号公報
【特許文献２】特開平６−１４３１７９号公報
【特許文献３】特開２００５−８８０９６号公報
【発明の開示】
【発明が解決しようとする課題】
【０００５】
しかしながら、特許文献１及び２に記載のロボットハンドにおいては、指先端での把持対象物の把持を重視している。このため、指の先端で所望の把持力を得る場合、指の根本側で把持対象物を把持するために必要なトルクよりも大きなトルクが必要となる。これにより、アクチュエータが大型化する。
【０００６】
また、特許文献３に記載のロボットハンドでは、凹部が形成された凹凸形状（ディンプル形状）により、対象物と指部との接触面積を大きくし、指部の摩擦係数を向上させている。摩擦形状を向上させることにより容易に物を把持することができる。しかしながら、指部の材質によっては、対象物と指部との接触面積を大きくし摩擦係数を向上させると、当該摩擦係数の大きい指部で対象物が固定されてしまう場合がある。これにより、所望の位置で対象物を把持できず、安定した把持を行えない場合があるという問題点がある。
【０００７】
本発明は、このような問題点を解決するためになされたものであり、物を安定して把持できるロボットハンドを提供することを目的とする。
【課題を解決するための手段】
【０００８】
本発明に係るロボットハンドは掌リンクと、前記掌リンクに連結される複数の指リンクとを有し、前記掌リンク及び前記指リンクにおける物を把持する面の少なくとも一部に、柔軟性を有する材料から把持面が形成され、当該把持面のうち、前記掌リンクの把持面の摩擦係数が１．７以下であって、前記指リンクの把持面の摩擦係数が前記掌リンクの把持面の摩擦係数以上であり、かつ表面粗さを適切なものとすることで摩擦係数を調整したものである。
【０００９】
本発明においては、物体を把持する面に、柔軟性を有する材料で、かつ指リンクの把持面の摩擦係数が掌リンクの把持面の摩擦係数以上となるよう把持面が形成され、柔軟性を有する材料の表面粗さを粗くすることで、摩擦係数を調整している。これにより。把持物を把持した際に、掌の上で把持物が安定した位置に移動しやすく、把持物を上手に把持することが可能となる。
【００１０】
また、前記指リンクのうち前記掌側の根本及び掌の前記把持面には凹凸が設けられているものとすることができる。指リンクの根本及び掌に凹凸を設けて摩擦係数を低減することができる。
【００１１】
さらに、前記指リンクの把持面より前記掌の把持面の摩擦係数が小さくなるよう、前記指リンク及び掌の前記把持面全面に凹凸が設けられているものとすることができる。把持面全面に凹凸が設けられていてもよい。
【００１２】
さらにまた、前記指リンクは、前記掌リンクに連結される根本側リンクと、前記根本側リンクに連結される指先側リンクとを有するものとすることができる。指リンクを複数のリンクから構成することで、より複雑又は小さい把持物を把持することができる。
【００１３】
また、前記把持面の硬度は、９０デュロメータ（Ａ）以下であることができる。硬度が９０デュロメータ（Ａ）以下の材料の表面粗さを調整することで、摩擦係数を調節することができる。
【００１４】
さらに、前記把持面のうち、前記掌リンクの把持面の表面粗さについて、凹凸平均間隔ＲＳｍが２０μｍ乃至１ｍｍにあって、凹凸平均高さＲｃが２μｍ以上であり、前記指リンクの把持面の表面粗さは前記掌リンクの把持面の表面粗さより小さいものとすることができる。これにより、摩擦係数を調整することができる。
【００１５】
さらにまた、前記柔軟性を有する把持面は、ゴム又は樹脂材料からなることができ、特に、シリコンゴムであることが好ましい。
【００１６】
また、前記指リンク及び前記掌リンクの物体を把持する側の面に、前記柔軟性を有する材料からなるシートが貼られたものとするか、又は、前記指リンク及び前記掌リンクが、前記柔軟性を有する材料により覆われているものとすることができる。把持面はシートを貼っても、手袋を被せてもよい。
【発明の効果】
【００１７】
本発明によれば、物を安定して把持することができるロボットハンドを提供することができる。
【発明を実施するための最良の形態】
【００１８】
実施の形態１．  以下、本発明を適用した具体的な実施の形態について、図面を参照しながら詳細に説明する。図１は、本発明の実施の形態１にかかるロボットハンド１を示す図である。図１に示すように、ロボットハンド１は、掌リンク２０に、複数の指リンク１０が連結されてなる。
【００１９】
指リンク１０は、複数のリンクが連結されていている。本実施の形態においては、指リンク１０は、掌リンク２０に連結される根本側リンク１１と、この根本側リンクに連結される指先側リンク１２とを有する。指リンク１０を根本側リンク１１及び指先側リンク１２から構成することにより、把持物との接触面積を増加させることができ、把持物をより安定して把持することができる。
【００２０】
指リンク１０の根本側リンク１１は、掌リンク２０に連結される。また、指先側リンク１２は、根本側リンク１１において掌リンク２０が連結される側と反対側に連結される。根本側リンク１１、指先側リンク１２、及び掌リンク２０はそれぞれ関節軸３０を介して連結されている。各関節軸３０はそれぞれアクチュエータ（図示せず）に接続されていて、当該アクチュエータの駆動により、掌リンク２０に対する根本側リンク１１及び指先側リンク１２の角度が変化する。このように、根本側リンク１１及び指先側リンク１２の掌リンク２０に対する角度を変化させることにより把持物を把持する。
【００２１】
また、各リンクはそれぞれ把持物を把持する把持面を有する。根本側リンク１１は、把持面１１ａ（以下、根本側把持面１１ａという。）を有する。指先側リンク１２は、把持面１２ａ（以下、指先側把持面１２ａという。）を有する。掌リンク２０は、把持面２０ａ（以下、掌把持面２０ａという。）を有する。これらの把持面は、柔軟性を有する材料から構成され、把持面のうち、掌リンク２０の把持面の摩擦係数が１．７以下であって、指リンク１０の把持面の摩擦係数が掌リンク２０の把持面の摩擦係数以上となっている。また、例えば、柔軟性を有する材料とは、硬度が９０デュロメータ（Ａ）以下であることが好ましい。そのような材料としては、例えばゴム又は樹脂材料等が好ましく、シリコンゴムが更に好ましい。シリコンゴム等、このような柔軟性を有する材料の表面に凹凸を形成することで摩擦係数を調整することができる。例えばその凹凸は掌リンクの把持面の表面粗さについて、凹凸の平均間隔ＲＳｍが２０μｍ乃至１ｍｍにあって、平均凹凸高さＲｃが２μｍ以上とし、指リンク１０の把持面の表面粗さが掌リンク２０の把持面の表面粗さより小さいことが望ましい。すなわち、柔軟性を有する材料の表面に凹凸を設けることで掌把持面２０ａの摩擦係数を１．７以下とし、かつ指先側把持面の摩擦係数が掌側把持面の摩擦係数以上とすることで、把持物を把持した際に、掌上で把持物が適度に移動し、把持がしやすくなる。
【００２２】
ここで、従来においても、根本側把持面１１ａの摩擦係数を指先側把持面１２ａの摩擦係数より小さくしていた。これにより、掌把持面２０ａより摩擦係数が大きい指先側把持面１２ａで把持物を把持し、指先側把持面１２ａより摩擦係数の小さい掌把持面２０ａで把持物を滑らせることにより、ロボットハンドにおける把持物の移動を行う。この場合、指先側把持面１２ａより摩擦係数を小さくするために掌把持面２０ａには、例えばフッ素樹脂（テフロン（登録商標））等が用いられていた。掌把持面２０ａにフッ素樹脂等を用いたロボットハンドで把持物を把持する場合、把持物の表面が、例えば紙、木材、金属、又は硬質樹脂等の場合には著しく摩擦係数が低減される。しかしながら、把持物の表面がシリコンゴム等である場合にはシリコンゴムとフッ素樹脂との吸着的な現象により摩擦係数が極めて大きい状態のままとなる。このため、把持物の表面の材質の違いにより、摩擦係数が大きくことなり、よって把持の挙動が大きく異なる結果となる。これにより、把持が不安定となり、把持の制御が複雑になる等する。
【００２３】
そこで、本実施の形態では、把持面に柔軟性を有する材料を適用し、かつ表面に微細な凹凸を設けることにより表面粗さを調整し、把持面の摩擦係数を調節する。より具体的には、掌把持面２０ａに微細な凹凸を形成することで摩擦係数を１．７以下とし、かつ指先側把持面以上の摩擦係数とする。又は、後述するように掌把持面２０ａ及び根本側把持面１１ａに微細な凹凸を形成することにより、摩擦係数を１．７以下とし、かつ指先側把持面以上の摩擦係数とする。又は少なくとも指先側把持面１２ａに形成する凹凸より掌把持面２０ａの表面に形成する凹凸を大きくして掌把持面２０ａの摩擦係数を指先側把持面１２ａの摩擦係数より小さくする。これにより、把持物の表面が、紙、木材、金属、又は硬質樹脂等である場合に加えて、シリコンゴム等の場合においても、把持物との摩擦係数を低減することができる。すなわち、把持物の表面の材質の違いによる摩擦係数の変化を小さくすることができ、把持物を安定して把持することができる。このため、把持の制御が容易になる。
【００２４】
上述したように、把持物を所望の位置で把持するためには、掌リンクの把持面の摩擦係数を１．７以上とし、かつ指リンク１０の把持面の摩擦係数を掌リンク２０の把持面の摩擦係数以上よする。このため、掌把持面２０ａが１．７より大きい摩擦係数を有する場合、掌把持面２０ａも指リンクの把持面と同等に大きな摩擦係数を有することとなり、把持物を所望の位置で把持することが困難である。すなわち、掌把持面２０ａに把持物が固定されてしまい、所望の位置での把持を行うことが困難である。このため、把持面の摩擦係数が１．７以下で、かつ指先側把持面以下の摩擦係数となるよう、掌把持面の表面粗さを調節する。これにより、把持物の表面が、紙、木材、金属、又は硬質樹脂等である場合に加えて、シリコンゴム等の場合においても、摩擦係数を低減することができ、把持物の材質の違いによる摩擦係数の変化を小さくすることができ、把持物を安定して把持することができる。そして、把持の制御を簡単に行うことができる。
【００２５】
また、根本側把持面１１ａの表面粗さと指先側把持面１２ａの表面粗さとを略同じにし、当該根本側把持面１１ａの摩擦係数を掌把持面２０ａより大きくすることで、根本側把持面１１ａにおいても十分な摩擦力を有し、把持物の安定した把持を行うことができる。また、指先側把持面１２ａに加えて根本側把持面１１ａにおいても把持物の把持を行うことができるため、根本側リンク１１と掌リンク２０とを連結する関節軸３０ａの駆動トルクを小さくすることができる。これにより、当該関節軸３０に連結され、減速機等を有するアクチュエータにおいて、当該減速機等を小さくすることができるため、アクチュエータを小型化することができ、ロボットハンド１の寸法を小さくすることができる。
【００２６】
上述したように、従来は、ロボットハンドの指先側における把持を重視していたため、大きな駆動トルクが必要としていた。この場合、歯車が大きい減速機が必要となり、これに伴いアクチュエータが大型化する。これに対し、本実施の形態では、根本側把持面１１ａの摩擦係数を指先側把持面１２ａと同様に高くすることで、根本側リンク１１と掌リンク２０とを連結する関節軸３０ａの駆動トルクを小さくすることができる。よって減速機の歯車を小さくし、アクチュエータを小型化することができ、ロボットハンド１の寸法を小さくすることができる。ロボットハンド１が小さい場合、当該ロボットハンド１が把持物の把持及び移動等を行う際の周辺環境等との干渉を大幅に軽減することができる。
【００２７】
次に、本実施の形態におけるロボットハンド１の構成及び各把持面の構成について詳細に説明する。ロボットハンド１の根本側リンク１１における関節軸３０間のリンク長は、略５５ｍｍとすることができる。指先側リンク１２における関節軸３０と当該関節軸３０が形成される側とは反対側の端部との間のリンク長は、略５５ｍｍとすることができる。また、掌リンク２０における関節軸３０間のリンク長は略７０ｍｍとすることができる。また、関節軸３０で連結されている根本側リンク１１及び指先側リンク１２の可動範囲は、掌リンク２０と平行な全開状態を角度０度とする場合、根本側リンク１１は、略０度以上＋１２０度以下、指先側リンク１２は、略０度以上＋９０度以下とする。
【００２８】
各リンクの把持面はそれぞれシリコンゴムを用いて形成する。掌把持面２０ａは、ＪＩＳＢ０６０１で規定される平均凹凸高さ（ＩＳＯ４２８７／１）Ｒｃを例えば２μｍ、凹凸の平均間隔（粗さ曲線から、その平均線の方向に基準長さｌだけ抜き取り、１つの山及びそれに隣合う１つの谷に対応する平均線の長さの和を求め、平均値をミリメートルで表わしたもの：Ｓｍ＝1／ｎΣＳｍｉ）ＲＳｍを例えば２０乃至１０００μｍとすることができる。ここで、凹凸の平均間隔ＲＳｍ＝５０乃至３００μｍ、平均凹凸高さＲｃ＝５μｍ以上が特に好ましい。
【００２９】
また、根本側把持面１１ａ及び指先側把持面１２ａは算術平均粗さＲａを例えば０．４μｍ以下、平均凹凸高さを例えば１．５μｍ以下とし、平滑面とする。図２（ａ）に掌把持面２０ａの断面図を示し、図２（ｂ）に根本側把持面１１ａ及び指先側把持面１２ａの断面図を示す。各リンクの把持面を上記のような構成とすることにより、掌把持面２０ａは図２（ａ）に示すように、微小な突起部を有し、根本側把持面１１ａ及び指先側把持面１２ａは図２（ｂ）に示すように平滑面となる。
【００３０】
上記のような構成の場合であって、把持物の表面が紙、木材、金属、硬質樹脂、又はシリコンゴムの場合において、把持物と各把持面との摩擦係数は、掌把持面２０ａでは、略０．５乃至１．６となり、根本側把持面１１ａ及び指先側把持面１２ａでは、略１．２ｍ乃至６．０となる。このような構成を有するロボットハンド１に、把持物の表面が、紙、木材、金属、硬質樹脂、又はシリコンゴムをそれぞれ把持させる。指リンク１０を動作させると、把持物が掌把持面２０ａで固定されることなく、所望の位置で把持することができ、把持の制御を簡単に行うことができる。また、把持物の表面の材質の違いに関わらず、把持物を安定して把持することができる。
【００３１】
ここで、比較例として、掌把持面２０ａを、根本側把持面１１ａ及び指先側把持面１２ａとを略同一の平均凹凸高さＲｃ＝１．５μｍとした場合について説明する。このとき、把持物の表面が、紙、木材、金属、硬質樹脂、又はシリコンゴムである把持物をそれぞれ把持させ、指リンク１０を動作させる。この場合、把持物の表面が、金属、硬質樹脂、及びシリコンゴムの場合、把持物が掌把持面２０ａで固定されてしまう。このため、把持物を所望の位置で把持することができず、安定した把持を行うことが困難である。また、把持物の把持の制御を行うことが困難となる。
【００３２】
さらに、別の比較例として、掌把持面２０ａの材質を従来から用いられているフッ素樹脂板とし、根本側把持面１１ａ及び指先側把持面１２ａの材質をシリコンゴムの平滑面とする。この場合、把持物の表面が、紙、木材、金属、硬質樹脂、又はシリコンゴムであれば、掌把持面２０ａと把持物との摩擦係数は、略０．１乃至６．０となり、根本側把持面１１ａ及び指先側把持面１２ａと把持物との摩擦係数は、略１．２乃至６．０となる。よってこの比較例におけるロボットハンドに把持物を把持させ、指リンク１０を動作させる場合、把持物の表面がシリコンゴムの場合には、摩擦係数が大きいため、把持物が掌把持面２０ａで固定されてしまい、上手く把持することが困難となる。すなわち、フッ素樹脂加工板を使用すると、把持物の表面の材質によっては、所望の位置での把持を行うことができず、安定した把持を行えず、把持の制御が困難となる。
【００３３】
本実施の形態においては、指リンク１０及び掌リンク２０における物を把持する面の少なくとも一部に、柔軟性を有する材料から把持面が形成され、当該把持面のうち、掌リンクの把持面の表面粗さを調節し、掌リンクの把持面の摩擦係数が１．７以下かつ指リンクの把持面の摩擦係数以下とする。このように、柔軟性を有する材料の表面粗さを調整して摩擦係数を調整することにより、把持物の表面の材質の違いによる摩擦係数の変化を小さくすることができ、所望の位置で把持物を把持することができる。このため、把持物を安定して把持することができる。また、把持の制御を簡単に行うことができる。さらに、本実施の形態では、根本側把持面１１ａには微小な突起部を付与しないため、当該根本側把持面１１ａにおいても十分な摩擦力を有し、より安定して把持物を把持することができる。
【００３４】
実施の形態２．
次に、実施の形態２について説明する。実施の形態１では、根本側把持面１１ａ及び指先側把持面１２ａと、掌把持面２０ａとで把持物との摩擦係数を異ならせるが、実施の形態２では、指先側把持面１２ａと、根本側把持面１１ａ及び掌把持面２０ａとで摩擦係数を異ならせる。指先側把持面１２ａは、例えば、実施の形態１の根本側把持面１１ａ及び指先側把持面１２ａで規定したＪＩＳＢ０６０１の平均凹凸高さＲｃと同様の規定とし、平滑面とする。また、根本側把持面１１ａ及び掌把持面２０ａは、例えば実施の形態１の掌把持面２０ａで規定したＪＩＳＢ０６０１の平均凹凸高さＲｃ、及び凹凸の平均間隔Ｓｍと同様の規定とし、表面に凹凸を形成する。
【００３５】
本実施の形態では、各把持面の硬度が９０以上の材料を使用し、指先側把持面１２ａと、根本側把持面１１ａ及び掌把持面２０ａとで把持物との表面粗さを異ならせる。例えば、掌把持面２０ａ及び根本側把持面１１ａに微小な凹凸を付与する。このことにより、把持物の表面の材質の違いによる摩擦係数の変化を小さくすることができ、把持物が掌把持面２０ａで固定されることなく、把持物を所望の位置で把持することができる。このため、把持物を安定して把持することができる。そして、把持の制御を簡単に行うことができる。ただし、実施の形態２では、根本側把持面１１ａの表面粗さを粗くしたため、実施の形態１と比較して根本側把持面１１ａの摩擦係数が低減する。このため、根本側リンク１１と掌リンク２０とを連結する関節軸３０ａの駆動トルクは実施の形態１の場合の略２倍程度必要となる。
実施の形態３．
【００３６】
次に、実施の形態３について説明する。実施の形態３では、実施の形態１と同様、根本側把持面１１ａ及び指先側把持面１２ａと、掌把持面２０ａとで摩擦係数を異ならせる。ここで、実施の形態１では掌把持面２０ａにのみ微小な突起部を形成することとしたが、実施の形態３では、根本側把持面１１ａ及び指先側把持面１２ａと、掌把持面２０ａとにそれぞれ微小な突起部を付与する。この場合、把持物の表面が、紙、木材、金属、硬質樹脂、又はシリコンゴムの場合、把持物と各把持面との摩擦係数は、掌把持面２０ａでは例えば略０．５乃至０．８であり、根本側把持面１１ａ及び指先側把持面１２ａの摩擦係数は、例えば略１．０乃至１．７となる。
【００３７】
本実施の形態では、根本側把持面１１ａ及び指先側把持面１２ａと、掌把持面２０ａとにそれぞれ微小な凹凸を形成することにより、把持物の材質の違いによる摩擦係数の変化を小さくすることができ、把持物が掌把持面２０ａで固定されることなく、所望の位置で把持することができる。このため、把持物の把持を安定して行うことができる。そして、把持の制御を簡単に行うことができる。ただし、本実施の形態では、根本側把持面１１ａ及び指先側把持面１２ａにも微小な突起部を付与したため、実施の形態１と比較して、根本側把持面１１ａ及び指先側把持面１２ａの摩擦力は低下するが、把持物を把持するための摩擦力は十分に確保されている。
【００３８】
なお、本発明は上述した実施の形態のみに限定されるものではなく、本発明の要旨を逸脱しない範囲において種々の変更が可能であることは勿論である。
【図面の簡単な説明】
【００３９】
【図１】本発明の実施の形態にかかるロボットハンドを示す図である。
【図２】（ａ）は、実施の形態１におけるロボットハンドの掌リンクの把持面を拡大して示す模式図、（ｂ）は、実施の形態１におけるロボットハンドの指リンクの把持面を拡大して示す模式図である。
【符号の説明】
【００４０】
１  ロボットハンド
１０  指リンク
１１  根本側リンク
１１ａ  根本側把持面
１２  指先側リンク
１２ａ  指先側把持面
２０  掌リンク
２０ａ  掌把持面
３０  関節軸
【図１】
2009166181.tif 000003
【図２】
2009166181.tif 000004